(57)【要約】【課題】ショーケースの棚に取り付けられたＬＥＤ照明装置による照明効果をより向上させることを目的とする。【解決手段】ショーケース１は、陳列室４内に架設した棚１４上に商品を陳列するものであって、棚に取り付けられ、ＬＥＤ素子を有するＬＥＤ照明装置２１を備え、該ＬＥＤ照明装置は回転自在に棚に取り付けられ、回転させることにより、当該棚の商品載置面よりＬＥＤ素子からの光を上方に照射する状態と、当該棚の下方に光を照射する状態とを選択可能とされている。【選択図】図１
2012176092.tif 000002
【特許請求の範囲】
【請求項１】
陳列室内に架設した棚上に商品を陳列するショーケースにおいて、
前記棚に取り付けられ、ＬＥＤ素子を有するＬＥＤ照明装置を備え、
該ＬＥＤ照明装置は回転自在に前記棚に取り付けられ、回転させることにより、当該棚の商品載置面より前記ＬＥＤ素子からの光を上方に照射する状態と、当該棚の下方に光を照射する状態とを選択可能とされていることを特徴とするショーケース。
【請求項２】
前記ＬＥＤ照明装置は、前記棚の商品載置面より光を上方に照射する状態、及び、下方に光を照射する状態以外の回転状態では消灯されることを特徴とする請求項１に記載のショーケース。
【請求項３】
前記ＬＥＤ照明装置に設けられ、当該ＬＥＤ照明装置の回転軸から外面までの距離が回転角度に応じて変化するカムと、該カムの外面に当接可能な位置に設けられたスイッチとを備え、該スイッチの開閉により前記ＬＥＤ照明装置への給電が制御されることを特徴とする請求項２に記載のショーケース。
【請求項４】
前記棚を透光性の板材にて構成したことを特徴とする請求項１に記載のショーケース。
【請求項５】
前記棚の前端に設けられた透光性のプライスレールと、該プライスレールに取り付けられる透光性のプライスカードを備えたことを特徴とする請求項４に記載のショーケース。
【請求項６】
前記プライスレールと棚間に透光性のガードを立設したことを特徴とする請求項５に記載のショーケース。
【発明の詳細な説明】
【技術分野】
【０００１】
本発明は、陳列室内に架設した棚上に商品を陳列して成るショーケースに関し、特に、棚上の商品を照明する照明装置を備えたショーケースに関するものである。
【背景技術】
【０００２】
近年この種ショーケースにおいても省エネルギー化が要求されており、そのため、陳列室内を照明する従来の蛍光灯に代えて、ＬＥＤ（発光ダイオード）照明装置を使用するようになって来ている（例えば、特許文献１参照）。
【０００３】
そして、前記特許文献１では棚の下面にＬＥＤ照明装置を取り付け、且つ、それからの光の照射角度を奥行き方向に変更可能とすることにより、下方の棚上の商品を効果的に照明することができるようにしていた。
【先行技術文献】
【特許文献】
【０００４】
【特許文献１】特開２０１０−４２１９１号公報
【発明の概要】
【発明が解決しようとする課題】
【０００５】
しかしながら、係る従来のＬＥＤ照明装置では、光の照射角度の変更が棚下方の奥行き方向に限られてしまい、当該ＬＥＤ照明装置が取り付けられた棚上の商品を照明することができない等の問題が生じていた。
【０００６】
本発明は、係る従来の技術的課題を解決するために成されたものであり、ショーケースの棚に取り付けられたＬＥＤ照明装置による照明効果をより向上させることを目的とするものである。
【課題を解決するための手段】
【０００７】
本発明のショーケースは、陳列室内に架設した棚上に商品を陳列するものであって、棚に取り付けられ、ＬＥＤ素子を有するＬＥＤ照明装置を備え、該ＬＥＤ照明装置は回転自在に棚に取り付けられ、回転させることにより、当該棚の商品載置面よりＬＥＤ素子からの光を上方に照射する状態と、当該棚の下方に光を照射する状態とを選択可能とされていることを特徴とする。
【０００８】
請求項２の発明のショーケースは、上記においてＬＥＤ照明装置は、棚の商品載置面より光を上方に照射する状態、及び、下方に光を照射する状態以外の回転状態では消灯されることを特徴とする。
【０００９】
請求項３の発明のショーケースは、上記においてＬＥＤ照明装置に設けられ、当該ＬＥＤ照明装置の回転軸から外面までの距離が回転角度に応じて変化するカムと、該カムの外面に当接可能な位置に設けられたスイッチとを備え、該スイッチの開閉によりＬＥＤ照明装置への給電が制御されることを特徴とする。
【００１０】
請求項４の発明のショーケースは、請求項１の発明において棚を透光性の板材にて構成したことを特徴とする。
【００１１】
請求項５の発明のショーケースは、上記において棚の前端に設けられた透光性のプライスレールと、該プライスレールに取り付けられる透光性のプライスカードを備えたことを特徴とする。
【００１２】
請求項６の発明のショーケースは、上記においてプライスレールと棚間に透光性のガードを立設したことを特徴とする。
【発明の効果】
【００１３】
本発明によれば、陳列室内に架設した棚上に商品を陳列するショーケースにおいて、ＬＥＤ素子を有するＬＥＤ照明装置を回転自在に棚に取り付け、回転させることにより、当該棚の商品載置面よりＬＥＤ素子からの光を上方に照射する状態と、当該棚の下方に光を照射する状態とを選択可能としたので、上方に光を照射するＬＥＤ照明装置の回転状態では、当該棚の商品載置面に載置されて陳列された商品を下方より照明することができる。また、下方に光を照射するＬＥＤ照明装置の回転状態では、当該棚下方に陳列された商品を上方から照明することができるようになる。
【００１４】
これにより、棚に取り付けたＬＥＤ照明装置から商品に様々な照明効果を与えることができるようになり、商品販売効果を著しい改善を図ることが可能となる。特に、ＬＥＤ照明装置は回転自在に棚に取り付けられており、回転させるだけで上方から下方に渡って照射角度を変化させることができるので、操作性も著しく向上するものである。
【００１５】
また、請求項２の発明の如く棚の商品載置面より光を上方に照射する状態、及び、下方に光を照射する状態以外の回転状態ではＬＥＤ照明装置が消灯されるようにすれば、棚からの照明が不要な場合に、ＬＥＤ素子を棚の商品載置面と下面との間に格納して消灯させておくことが可能となり、商品によってＬＥＤ照明装置のＬＥＤ素子が損傷を負う不都合も未然に回避される。これは特に棚が複数段設けられているショーケースでは有効であり、任意の特定の棚を目立たせたい場合に、当該棚のＬＥＤ照明装置のみを点灯させ、他のＬＥＤ照明装置は消灯させておくこともできる。
【００１６】
この場合、請求項３の発明の如くＬＥＤ照明装置の回転軸から外面までの距離が回転角度に応じて変化するカムをＬＥＤ照明装置に設け、該カムの外面に当接可能な位置にスイッチを設けて、当該スイッチの開閉によりＬＥＤ照明装置への給電を制御すれば、極めて簡単な構成でＬＥＤ照明装置の回転による自動的な点／消灯を実現することが可能となる。
【００１７】
一方で、請求項４の発明の如く棚を透光性の板材にて構成すれば、ＬＥＤ照明装置を回転させて棚の断面に向けて光を照射する状態とすることで、ＬＥＤ素子からの光を棚内部に導いて棚全体を光らせることも可能となる。これにより、商品の照明効果をより一層向上させることができるようになる。
【００１８】
特に、請求項５の発明の如く棚の前端に透光性のプライスレールを設け、該プライスレールに透光性のプライスカードを設ければ、ＬＥＤ照明装置を回転させて前方のプライスレールにＬＥＤ素子からの光を照射することにより、後方からプライスカードを照明することができる。
【００１９】
また、請求項６の発明の如くプライスレールと棚間に立設されるガードを透光性とすれば、このガード自体もＬＥＤ素子からの光によって光らせることができるようになるものである。
【図面の簡単な説明】
【００２０】
【図１】本発明を適用した一実施例のショーケースの概略断面図である。
【図２】ＬＥＤ照明装置のＬＥＤ素子を上方に指向させた状態の図１のショーケースの棚の断面図である。
【図３】図１のショーケースの棚前部の内部構成図である。
【図４】図１のショーケースの棚前部の拡大断面図である。
【図５】図１のショーケースの棚前部のもう一つの拡大断面図である。
【図６】ＬＥＤ照明装置のＬＥＤ素子を下方に指向させた状態の図１のショーケースの棚の断面図である。
【図７】図２の棚の商品載置面にペットボトル飲料を載置した状態の断面図である。
【図８】図２の棚の商品載置面に缶飲料を載置した状態の断面図である。
【図９】本発明を適用した他の実施例のショーケースの棚の断面図である。
【図１０】図９のＬＥＤ照明装置のＬＥＤ素子を前方に指向させた状態の棚の断面図である。
【発明を実施するための形態】
【００２１】
以下、図面に基づき本発明の実施の形態について、詳細に説明する。図１において、１は実施例のショーケースであり、このショーケース１は前面が開口する断熱壁２により本体が構成されたオープンショーケースである。この断熱壁２の内側には間隔を存して仕切板３が設けられており、この仕切板３内に前面が開口した陳列室４が構成され、この仕切板３と断熱壁２間に連続したダクト６が構成されている。このダクト６内には図示しない冷却装置の蒸発器７と送風機８が配設されている。
【００２２】
また、陳列室４の前面開口上縁にはダクト６に連通した冷気吐出口１１が形成され、陳列室４の前面開口下縁には冷気吸込口１２が形成されてそれぞれダクト６に連通している。そして、蒸発器７と熱交換したダクト６内の冷気は送風機８により加速され、冷気吐出口１１から陳列室４内に吐出され、冷気吸込口１２から吸い込まれる。これにより、陳列室４の前面開口には冷気エアーカーテンが構成されると共に、その一部が陳列室４内に循環され、陳列室４内は所定温度（例えば、＋５℃〜＋１０℃の冷蔵温度）に冷却されてペットボトル飲料や缶飲料等の商品を冷却しながら陳列する。
【００２３】
また、陳列室４内には棚１４が複数段（実施例では三段）架設されており、商品は各棚１４及び陳列室４底部のデッキパン１６上の商品載置面１４Ａに載置されて陳列される。各棚１４の前端にはプライスレール１７が取り付けられ、更にこのプライスレール１７と棚１４間には商品落下防止用のガード１８が立設されている。そして、このガード１８より少許後側における各棚１４内に本発明を適用したＬＥＤ照明装置２１がそれぞれ取り付けられている。
【００２４】
実施例のＬＥＤ照明装置２１は、棚１４の略全幅に渡る長さを有した断面矩形状の本体２４と、この本体２４の一面にその長手方向の略全幅に渡って取り付けられたＬＥＤ素子２２とから構成されている。このＬＥＤ照明装置２１は本体２４の中心を長手方向に延在する回転軸２３を中心として棚１４に対して回転自在とされている。尚、このＬＥＤ照明装置２１に対応する部分の棚１４の上面（商品載置面１４Ａ）と下面は開口している。
【００２５】
ＬＥＤ照明装置２１の本体２４の長手方向における一端部にはカム２６が取り付けられている。このカム２６は、ＬＥＤ素子２２が設けられた本体２４の面とその反対側の面に対応する部分の外面２６Ａがそれらの面と面一とされ、当該外面２６Ａ以外の部分の外面２６Ｂは回転軸２３を中心とした円弧状とされている。カム２６の外面は回転角度に応じて回転軸２３からの距離が変化するものであり、ＬＥＤ素子２２が設けられた面の中央が最も短く、そこから徐々に延びていき、外面２６Ａと２６Ｂとの接続点で最大となり、以後外面２６Ｂの全域で最大のままとなる。
【００２６】
即ち、ＬＥＤ素子２２の指向する方向を０度とした場合に、図４中時計回りに９０度及び２７０度回転させた回転角度で回転軸２３から外面２６Ｂまでの距離が最大となり、０度と１８０度で最小となる。このカム２６の後側にはスイッチ２７が棚１４内に取り付けられている。このスイッチ２７はカム２６の外面に当接する位置関係で設けられており、外面２６Ｂでは当接してスイッチ２７の接点が閉じ、それ外面２６Ａの中心がスイッチ２７側にあるときは、スイッチ２７は外面２６Ａから離間して接点が開く構成とされている。
【００２７】
そして、このスイッチ２７がＬＥＤ素子２２と電源間の電気回路に介設されているので、このスイッチ２７の接点の開閉により、ＬＥＤ素子２２が上向き、或いは、下向きとなったことを検出して点灯させ、それぞれ９０度回った後向き、或いは、前向きとなったことを検出して消灯させることができるようになる。即ち、カム２６とスイッチ２７はＬＥＤ素子２２の向きの検出手段となる。
【００２８】
以上の構成で、棚１４の商品載置面１４Ａ上の商品を下方から照らしたい場合には、図２の如くＬＥＤ照明装置２１を回転させてＬＥＤ素子２２を上方に指向させる。このとき、スイッチ２７はカム２６の外面２６Ｂに当接して接点を閉じるので（図４）、ＬＥＤ素子２２は給電される。これにより、ＬＥＤ素子２２は発光してその光は上方に照射されるようになる（図２）。
【００２９】
図７は棚１４の商品載置面１４Ａ上に透明なペットボトル飲料Ｐを陳列した状態を例示している。このとき、ペットボトル飲料Ｐ（商品）はＬＥＤ照明装置２１上に載置されており、ＬＥＤ素子２２からの光はペットボトル飲料Ｐ内に照射されて幻想的なイメージを醸し出すことになる。
【００３０】
また、図８は棚１４の商品載置面１４Ａ上に缶飲料Ｃを陳列した状態を例示している。ここで、缶飲料Ｃ（商品）は透光性では無い（不透明）ので、ＬＥＤ照明装置２１上に載置されるとＬＥＤ素子２２からの光を遮断してしまう。そこで、ＬＥＤ照明装置２１の後側の棚１４の商品載置面１４に全幅に渡る例えば突条２８を着脱自在に取り付けられるようにしておく。そして、突条２８とガード１８の間隔を缶飲料Ｃ一個分より小さくしておけば、突条２８により缶飲料Ｃはそれより前方に行かなくなる。
【００３１】
これにより、ＬＥＤ照明装置２１が缶飲料Ｃ（商品）によって閉ざされてしまう不都合は解消されると共に、缶飲料ＣはＬＥＤ素子２２からの光で前下方から照らされるかたちとなる。
【００３２】
一方、棚１４下方の商品を上方から照らしたい場合には、図６の如くＬＥＤ照明装置２１を回転させてＬＥＤ素子２２を下方に指向させる。このときもスイッチ２７はカム２６の外面２６Ｂに当接して接点を閉じるので、ＬＥＤ素子２２は給電される。これにより、ＬＥＤ素子２２は発光してその光は下方に照射されるようになり、棚１４下方の棚１４の商品載置面１４Ａ上の商品やデッキパン１６上の商品を前上方から照明することができるようになる（図６）。
【００３３】
他方、棚１４における照明が不要な場合、即ち、ＬＥＤ照明装置２１による照明を行わない場合には、図５の如くＬＥＤ照明装置２１を図２の状態から時計回りに９０度回転させ、ＬＥＤ素子２２を例えば後方の棚１４の断面方向に指向させる。このとき、カム２６の外面２６Ａがスイッチ２７側となるので、スイッチ２７は外面２６Ａから離間し、接点は開く。従って、ＬＥＤ素子２２への給電は断たれるので、ＬＥＤ素子２２は消灯する。
【００３４】
このように、ＬＥＤ素子２２を有するＬＥＤ照明装置２１を回転自在に棚１４に取り付け、回転させることにより、当該棚１４の商品載置面１４ＡよりＬＥＤ素子２２からの光を上方に照射する状態と、当該棚１４の下方に光を照射する状態とを選択可能とすることにより、上方に光を照射するＬＥＤ照明装置２１の回転状態では、当該棚１４の商品載置面１４Ａに載置されて陳列された商品を下方より照明することができ、下方に光を照射するＬＥＤ照明装置２１の回転状態では、当該棚１４下方に陳列された商品を上方から照明することができるようになる。
【００３５】
これにより、棚１４に取り付けたＬＥＤ照明装置２１から商品に様々な照明効果を与えることができるようになり、商品販売効果を著しい改善を図ることが可能となる。特に、ＬＥＤ照明装置２１は回転自在に棚１４に取り付けられており、回転させるだけで上方から下方に渡って照射角度を変化させることができるので、操作性も著しく向上する。
【００３６】
また、棚１４の商品載置面１４Ａより光を上方に照射する状態、及び、下方に光を照射する状態以外の回転状態ではＬＥＤ照明装置２１が消灯されるようにしているので、棚１４からの照明が不要な場合に、図５に示すようにＬＥＤ素子２２を棚１４の商品載置面１４Ａと下面との間に格納して消灯させておくことが可能となり、商品によってＬＥＤ照明装置２１のＬＥＤ素子２２が損傷を負う不都合も未然に回避される。これは特に棚１４が透光性の板材では無い場合に有効である。
【００３７】
また、実施例のように棚１４が複数段設けられているショーケース１では、任意の特定の棚１４を目立たせたい場合に、当該棚１４のＬＥＤ照明装置２１のみを点灯させ、他のＬＥＤ照明装置２１は消灯させておくこともできる。
【００３８】
特に、実施例ではＬＥＤ照明装置２１の回転軸２３から外面２６Ａ、２６Ｂまでの距離が回転角度に応じて変化するカム２６をＬＥＤ照明装置２１に設け、カム２６の外面に当接可能な位置にスイッチ２７を設けて、スイッチ２７の開閉によりＬＥＤ照明装置２１への給電を制御するようにしているので、極めて簡単な構成でＬＥＤ照明装置２１の回転による自動的な点／消灯を実現することが可能となっている。
【００３９】
尚、以上の説明ではＬＥＤ素子２２が上方に指向した状態（図２）と下方に指向した状態（図６）で説明したが、カム２６の外面２６Ｂにスイッチ２７が当接している間はＬＥＤ素子２２は点灯しているので、その角度は上向き及び下向きを中心としてその前後４５度ずつの範囲で光の照射角度を変化させることも可能である。
【００４０】
ここで、上記実施例では棚１４を透光性では無い板材で構成し、スイッチ２７で点／消灯を自動的に制御するようにしたが、それに限らず、スイッチ２７やカム２６を設けずに、回転による点／消灯を廃止してもよい。係る構成によればＬＥＤ照明装置２１の全ての回転角度でＬＥＤ素子２２からの光を照射できる。
【００４１】
更に、それに加えて棚１４、ガード１８、プライスレール１７を全て透光性の板材及び素材にて構成しても良い。係る場合の例を図９及び図１０に示す。この場合、棚１４、プライスレール１７、ガード１８及びプライスレール１７に取り付けられるプライスカード３１は全て透光性の素材（板材）にて構成する。また、ＬＥＤ素子２２はＬＥＤ照明装置２１の回転角度にかかわらず常時通電されて点灯しているものとする。
【００４２】
係る構成で、例えば図９に示すようにＬＥＤ照明装置２１を回転させてＬＥＤ素子２２を後方に指向させた場合、ＬＥＤ素子２２からの光は棚１４の断面に向けて照射されることになる。照射された光は棚１４内部を通って進むので、棚１４は導光板となる。そして、その商品載置面１４Ａと下面の全体から光が出て行くことになるので、棚１４の上下面を含む全体で上面の商品を下から照らし、下方の商品を上から照らすことができるようになる。これにより、商品の照明効果をより一層向上させることができるようになる。
【００４３】
次に、例えば図１０に示すようにＬＥＤ照明装置２１を回転させてＬＥＤ素子２２を前方に指向させた場合、ＬＥＤ素子２２からの光は棚１４の断面を通ってガード１８を通過し、プライスレール１７を経てプライスカード３１に後方から照射されることになる。
【００４４】
これにより、プライスカード３１による商品広告効果をより一層向上させることができるようになると共に、ガード１８自体もＬＥＤ素子２２からの光によって光らせることができるようになり、商品照明効果がより一層向上する。
【００４５】
尚、実施例ではオープンショーケースを例にとって説明したが、前面をガラス扉で開閉自在に閉塞した所謂リーチインタイプショーケースや四面をガラスで囲繞した四面ガラスタイプのショーケースにも本発明は有効である。
【符号の説明】
【００４６】
１  ショーケース
２  断熱壁
４  陳列室
１４  棚
１４Ａ  商品載置面
１７  プライスレール
１８  ガード
２１  ＬＥＤ照明装置
２２  ＬＥＤ素子
２３  回転軸
２６  カム
２７  スイッチ
３１  プライスカード
【図１】
2012176092.tif 000003
【図２】
2012176092.tif 000004
【図３】
2012176092.tif 000005
【図４】
2012176092.tif 000006
【図５】
2012176092.tif 000007
【図６】
2012176092.tif 000008
【図７】
2012176092.tif 000009
【図８】
2012176092.tif 000010
【図９】
2012176092.tif 000011
【図１０】
2012176092.tif 000012